(57)【要約】【課題】表示部とコンソール部とを平面的に接合するタイプの薄型表示装置におけるフレーム強度を向上させる。【解決手段】表示部１と、表示部１の下に設けられたコンソール部１１と、回転機構２３と、スタンド２１と、を備え、表示部１と、表示部１の下に設けられたコンソール部１１との間の接合部３０の延在する方向に垂直な方向に延びる２本の縦フレーム４１、４１であって、押し出し加工により形成された縦フレームと、縦フレーム４１、４１とそれぞれ接続され、コンソール部１１内において縦フレーム４１と垂直に延びる上から順に第１の横フレーム４３と、第２の横フレーム４５と、第３の横フレーム５７とを有している。【選択図】　図４
2004109400.tif 000002
【特許請求の範囲】
【請求項１】
表示画面を有する表示部と、
コンソール部であって、該コンソール部の第１端面と前記表示部の第２端面とが近接して対向配置され前記表示部とともに平面を形成するように配置されるコンソール部と、
前記表示部と前記コンソール部との両方に固定され、前記第１及び第２端面の法線方向である縦方向に延びる少なくとも１本の縦フレームと
を有する薄型表示装置。
【請求項２】
前記第１端面と前記第２端面との間に隙間が形成されていることを特徴とする請求項１に記載の薄型表示装置。
【請求項３】
さらに、前記表示部と前記コンソール部とのうち前記薄型表示装置を設置した状態において前記縦方向の下方に配置された方に取り付けられた設置用スタンドであって、前記縦フレームを固定する設置用スタンドを有することを特徴とする請求項１又は２に記載の薄型表示装置。
【請求項４】
さらに、前記表示部と前記コンソール部とのうち前記薄型表示装置を設置した状態において前記縦方向の下方に配置された方に取り付けられた設置用スタンドと、
該設置用スタンドと前記表示部又は前記コンソール部との間に設けられた回転機構と、を備え、
前記縦フレームと前記回転機構とが固定されていることを特徴とする請求項２に記載の薄型表示装置。
【請求項５】
前記縦フレームは、前記設置用スタンド又は前記回転機構の両側に１本ずつ取り付けられた第１及び第２縦フレームを含むことを特徴とする請求項２又は３に記載の薄型表示装置。
【請求項６】
前記第１縦フレームと前記第２縦フレームとがある間隔を有して近接して配置され、前記第１縦フレームと前記第２縦フレームとの間に画定される空間であって縦方向に延びる空間内に電気配線束が配置されていることを特徴とする
請求項５に記載の薄型表示装置。
【請求項７】
前記縦フレームは、押し出し成型により形成されたフレームであることを特徴とする
請求項１から６までのいずれか１項に記載の薄型表示装置。
【請求項８】
前記縦フレームは、
前記コンソール部中に収容され、前記表示画面の厚み方向に関して第１の長さを有する第１縦フレーム部と、
該第１縦フレーム部に続き前記ダイキャストフレームの裏面に取り付けられるとともに、前記表示画面の厚み方向に関して前記第１の長さよりも短い第２の長さを有する第２縦フレーム部と
を有することを特徴とする請求項７に記載の薄型表示装置。
【請求項９】
前記第２縦フレーム部は、押し出し成型された前記縦フレームを第１の長さから第２の長さまで短くする加工により形成したことを特徴とする請求項８に記載の薄型表示装置。
【請求項１０】
前記第１縦フレーム部は前記表示画面の法線方向に切った断面がＨ型の形状を有しており、前記第２縦フレーム部は断面がＴ型の形状を有していることを特徴とする請求項８又は９に記載の薄型表示装置。
【請求項１１】
前記表示部の表面側に設けられた表示パネルと、
該表示パネルが取り付けられるダイキャストフレームであって、前記表示パネルの裏面側に配置されたダイキャストフレームと
を有することを特徴とする請求項１から１０までのいずれか１項に記載の薄型表示装置。
【請求項１２】
さらに、前記表示部と前記コンソール部との接合部に沿って設けられ、前記縦フレームと交差するとともに、接合方向に延びる第１横フレームを有しており、
前記縦フレームと前記第１横フレームとが、前記交差部において固定されていることを特徴とする
請求項１から１１までのいずれか１項に記載の薄型表示装置。
【請求項１３】
前記第１横フレームは、前記接合部に沿って形成され、イルミネネーションランプを取り付けるランプ収容部と、前記前面側に設けられた開口と、を有することを特徴とする請求項１２に記載の薄型表示装置。
【請求項１４】
前記第１横フレームは、前記イルミネーションランプの裏側に該イルミネーションランプ用の配線を通す孔を有することを特徴とする請求項１３に記載の薄型表示装置。
【請求項１５】
表示部と、
該表示部を回転する回転機構と、
該回転機構と前記表示部とに取り付けられ該表示部を支持する少なくとも１本のフレームであって、押し出し加工により形成されたフレームと
を有する薄型表示装置。
【発明の詳細な説明】
【０００１】
【発明の属する技術分野】
本発明は薄型表示装置に関し、特に薄型表示装置に適したフレーム構造に関する。
【０００２】
【従来の技術】
表示装置の大画面化に伴い、大型の表示装置構造体に関する技術が重要になってきている。図１０は、従来の表示装置の薄型構造体の断面図である。図１０に示すように、表示装置は、横配置の第１の筺体２１０と、その上面前部に配置される縦配置の第２の筺体２２０と、第１の筺体２１０の上面後部の上方で、かつ、第２の筺体２２０の後方に配置される縦配置の第３の筺体２３０とから構成し、第２の筺体２２０の広い面２２１の前部周囲に縁部２２２を設けることにより、前方に開放して形成される第２の装置収容部２３０ａを設け、この第２の装置収容部２３０ａに薄型表示部１００を縦配置で収容するようにしているものもある（例えば、特許文献１参照）。
【０００３】
また、液晶リアプロジェクションテレビにおいて、上部キャビネットと下部キャビネットとを分割して形成し、上部キャビネットにはスクリーン及びミラーを装備し、下部キャビネットには映像機器、駆動及び制御回路、投射レンズを含む光学ユニットと、テレビとしての主要構成部分と、を装備し、下部キャビネットを共通とし、画面のインチサイズが異なる上部キャビネットを組み付けた投射型テレビジョン受信機が開示されている。この受信機によれば、他種類に渡るインチサイズの液晶リアプロジェクションテレビが、簡単に製造できる（例えば、特許文献２参照）。
【特許文献１】
特開平１１−３３８３７２号公報（第１図、第６頁から第７頁）
【特許文献２】
特開平０９−０９８３５７号公報
【０００４】
【発明が解決しようとする課題】
ところで、上記特許文献１に記載された構造においては、第２の筺体２２０と、その後方に配置される第３の筺体２３０とが、第２の筺体２２０の広い面２２１において接触するように配置されている。これら第２の筺体２２０と第３の筺体２３０と、それらの下部に配置されている横配置の第１の筺体２１０との３つの筺体を組み合わせている。すなわち、上記構造は３つの筺体を組み合わせて立体的に強度を保持する機構である。従って、上記構造による表示装置の薄型化には限界がある。特許文献２に記載の装置も、上キャビネットと下キャビネットに分離可能な表示装置であるが、立体的構造であり、薄型化には対応しにくい。
本発明の目的は、大型の薄型表示装置に適した構造体を提供することにある。
【０００５】
【課題を解決するための手段】
本発明の一観点によれば、表示画面を有する表示部と、コンソール部であって、該コンソール部の第１端面と前記表示部の第２端面とが近接して対向配置され前記表示部とともに平面を形成するように配置されるコンソール部と、前記表示部と前記コンソール部との両方に固定され、前記第１及び第２端面の法線方向である縦方向に延びる少なくとも１本の縦フレームとを有する薄型表示装置が提供される。上記薄型表示装置によれば、表示部とコンソール部とを分離し、表示部とコンソール部とが平面状になるように配置するとともに縦方向に延びて両者を固定する縦フレームを設けることにより、分離した平板構造を強固に固定することができる。
【０００６】
前記第１端面と前記第２端面との間に隙間が形成されているのが好ましい。表示部とコンソール部との間に隙間を設けることにより、製造上の公差など起因する表示部の水平度のずれを隙間の調整により補正することができる。
【０００７】
さらに、前記表示部と前記コンソール部とのうち前記薄型表示装置を設置した状態において前記縦方向の下方に配置された方に取り付けられた設置用スタンドと、該設置用スタンドと前記表示部又は前記コンソール部との間に設けられた回転機構と、を備え、前記縦フレームと前記回転機構とが固定されているのが好ましい。この薄型表示装置によれば、縦フレームを回転機構に取り付けることにより、回転の際の表示部とコンソール部との動きが安定する。
【０００８】
前記第１縦フレームと前記第２縦フレームとが、ある間隔を有して近接して配置され、前記第１縦フレームと前記第２縦フレームとの間に画定される空間であって縦方向に延びる空間内に電気配線束が配置されているのが好ましい。縦フレーム間に配線を収容することにより、配線を保護し、スペースを有効利用することができる。
前記縦フレームは、押し出し成型により形成されたフレームであるのが好ましい。このようにすると、フレームを簡単かつ安価に製造することができる。
【０００９】
前記縦フレームは、前記コンソール部中に収容され、前記表示画面の厚み方向に関して第１の長さを有する第１縦フレーム部と、該第１縦フレーム部に続き前記ダイキャストフレームの裏面に取り付けられるとともに、前記表示画面の厚み方向に関して前記第１の長さよりも短い第２の長さを有する第２縦フレーム部とを有するのが好ましい。第１の長さよりも短い第２の長さを有する第２縦フレーム部の表面側に例えばダイキャストフレームやバックライトユニットなどを収容することができる。
【００１０】
【発明の実施の形態】
本明細書において、薄型表示装置とは、例えば液晶テレビや画面一体型パーソナルコンピュータなどを含み、さらにプラズマディスプレイなどの種々の表示装置を含む広い概念であり、表示機構により限定されるものではない。また、本明細書において、表示部は、主として表示機能を有し、一方、コンソール部は、主として表示装置を制御する制御機能や音響機能などを収容する。
【００１１】
発明者は、大画面表示装置の薄型化のためには、表示パネルを備えた表示部と、制御機能や音響機能などを収容するコンソール部と、を分離させるとともに、それぞれを薄型化し、かつ、表示部とコンソール部とを平面状に配置する構成が有利であると考えた。平板状の表示部とコンソール部とを、それぞれの端面が向かい合うように配置すれば、大画面表示装置全体を薄型化することができると考えた。このように配置した場合には、表示部とコンソール部とをいかにして接合するかが重要になる。すなわち、薄型平板の端面は表示面に比べて面積が非常に小さくなるため、例えば振動などに対してその影響を低減するように考慮する必要が生じる。また、大画面表示装置では、コンソール部と表示部との接合部におけるわずかな取り付け誤差や製造上の公差があるだけで、ユーザにとっては表示部の傾きが目立ってしまう。そこで、表示部とコンソール部との端面を当接させずに、隙間を有した状態で配置した状態で両者を固定すれば、水平度の調整が容易になる。
【００１２】
以下、本発明の一実施の形態による薄型表示装置について、液晶テレビジョン（以下、「液晶テレビ」と称する。）を例にして説明する。図１は本発明の第１の実施の形態による液晶テレビの構成を示す正面図であり、図２は背面図、図３（Ａ）は側断面面であり、図３（Ｂ）及び図３（Ｃ）は、図３（Ａ）の要部断面図である。図４は、図３（Ａ）の部分断面図である。図５は、図２の背面図におけるフレーム部の全体構成を示す図である。
【００１３】
図１から図５までに示すように、本実施の形態による液晶テレビＡは、表示部１と、例えば表示部１の下に設けられたコンソール部１１と、回転機構２３と、スタンド２１と、を備えている。表示部１とコンソール部１１とを合わせて本体部Ｂと称する。コンソール部１１は回転機構２３を介してスタンド２１により支持されている。この液晶テレビＡでは、コンソール部１１の上端面と表示部１の下端面とが接続されている。接続構造については後述する。表示部１は、液晶パネル３と、液晶パネル３の裏面側で液晶パネルを支持するとともに、バックライトを保持するために設けられた例えばアルミニウム製のバックフレーム５と、ほぼ裏面全体を囲む上キャビネット７を有している。
【００１４】
スタンド２１は、大型の表示部に対応できるように左右に広がる略ハの字型の形状を有しており、液晶テレビＡをバランス良く設置できる。回転機構２３を設けることにより、スタンド２１を基準とし鉛直方向を回転軸として本体部Ｂを回転させることができる。本体部Ｂを回転させることにより、視聴者が動かなくても視聴者の好みの角度で液晶テレビを見ることができるとともに、液晶の視向性を低減することができる。本体部Ｂに回転方向の遊びを持たせ、本体部Ｂに対して意図しない力が加わった際に薄型の液晶テレビが破損するのを防止できる。
【００１５】
上キャビネット７は、バックフレーム５の周縁部においてバックフレーム５に取り付けられている。さらに、バックフレーム５の表面側であって、液晶パネル３の周縁部に額縁部７ａが形成されている。本体部Ｂを支えるフレームとして、図３（Ａ）及び（Ｂ）に示すフレーム構造を用いる。接合部３０を跨り、表示部１とコンソール部１１とに、図３（Ｂ）に示す２本の縦フレーム４１が設けられている。この縦フレーム４１を、例えばアルミニウムを用いて押し出し加工で形成することにより、製造コストを下げることが出来る。
【００１６】
コンソール部１１は、下キャビネット１２を有しており、下キャビネット１２内に、例えばアンプ部１５とコントロール部１７とが配置されている。コンソール部１１の表面側の外周縁部にも、例えば図１に示すように縁取り部１２ｃが形成されている。アンプ部１５は、例えば、基幹デバイスとして高精度１チップΔΣ変調ＬＳＩを搭載している。１チップΔΣ変調ＬＳＩは、アナログ信号を１ビットデジタル信号に変換し、高速サンプリングにより音の透明感・スピード感を向上させている。
【００１７】
コントロール部１７は、例えば、液晶表示装置を含む液晶テレビＡの全体の制御を行う。液晶表示装置に関する制御を行うコントロール部１７を表示部１からコンソール部１１に移すことにより、表示部１の薄型化、大画面化が可能となる。尚、コンソール部１１中には、例えば、１ビット５．１ｃｈデジタルアンプを搭載しても良い。併せて、ＤＶＤビデオプレーヤを設置すると、臨場感に溢れるムービーを楽しむことができる。
【００１８】
液晶テレビＡの表示部１とコンソール部１１との接合構造について簡単に説明する。本実施の形態による液晶テレビＡにおいては、表示部１とコンソール部１１との両者を接続するための接合部３０を有している。接合部３０には表示部１とコンソール部１１を接合するためのフランジと、イルミネーションランプを収容するランプ収容部とが形成されている。
【００１９】
表示部１の裏面側は上キャビネット７に囲まれており、コンソール部１１は、下キャビネット１２に囲まれている（図１および図２参照）。これら、上キャビネット７と下キャビネット１２とを取り外した状態を図５に示す。図３及び図５に示すように、液晶パネル３とバックフレーム５とを取り付けた状態において、表示部１とコンソール部１１とを縦フレーム４１により支持する。図３（Ｂ）、図３（Ｃ）（図３（Ｂ）のｂ−ｂ‘線に沿う断面図）に示すように、縦フレーム４１は、例えば押し出し加工により形成された断面Ｈ型のアルミニウム製のフレームである。
【００２０】
縦フレーム４１は、コンソール部１１内においては、表面側から裏面側まで距離が長く、表示部１においては表面側から裏面側まで距離が短くなっている。より詳細には、コンソール部１１内においては、表面側の端部は符号４２ａで示される位置で規定されているのに対して、表示部１内においては、表面側の端部は符号４２ｃで示される位置で規定されており、表示部１とコンソール部１１との接合部３０付近のコンソール部１１側において、切り口が湾曲した形状（湾曲部４１ｃ）に加工されている。
【００２１】
これにより、縦フレーム４１の押し出し長さと、湾曲部４１ｃの位置（切り出し位置）とにより、表示部１とコンソール部１１との鉛直方向の差を有する場合、それぞれの比率を任意に調整することができ、種々の液晶テレビに対応できる。
【００２２】
図３（Ａ）に示すように、表示部１において縦フレーム４１の表面側から裏面側までの距離が短くなっている部分の表面側にバックフレーム５が配置されている。縦フレーム４１は、上キャビネット７内において、上記バックフレーム５にネジ止めされており、下キャビネット１２内においてその前面に固定されている。接合部３０の近傍においては、表面側から裏面側まで距離が短くなることにより形成されている空間内に、接合構造が設けられている。接合部３０に、例えばイルミネーションランプを取り付ける場合には、イルミネーションランプ及び関連する部品を収容するランプユニットをこの空間内に設けても良い。
【００２３】
図４は、表示部の内部構造をより詳細に示す図である。図４に示すように、上キャビネット７は、前部上キャビネット７ａと後部上キャビネット７ｂとを有する。前部上キャビネット７ａの一部が表示部１の額縁部を構成する。液晶パネル３はその表面側を上記前部上キャビネット７ａにより、裏面側を液晶パネル取り付けアングル３ａにより支持される。液晶パネル３の裏面に、複数本のバックライト６ａ、６ａを収容するバックライトユニット６が設けられている。バックライトユニット６の表面側に開口部が形成され、この開口部に光学部材例えば拡散板６ｂが配置されている。バックライトユニット６の裏面側に、上記ダイキャストのバックフレーム５が配置されている。さらに、上キャビネット７に、回路基板８が形成されている。回路基板８には、例えば液晶パネルの制御回路などの種々の集積回路チップ８ｂ、８ｃ、８ｄが取り付けられており、ダイキャストのバックフレーム５と回路基板８とが、ネジ類などにより固定されている。
【００２４】
図５は、液晶テレビのフレームの全体構成を示す図である。図５に示すように、液晶テレビＡのフレーム構造は、例えば回転機構２３の両側にそれぞれ例えばネジ止めにより取り付けられ、接合部３０の延在する方向に対して垂直な方向に延びる２本の縦フレーム４１、４１と、縦フレーム４１、４１とそれぞれ接続され、コンソール部１１内において縦フレーム４１と垂直に延びる上から順に第１の横フレーム４３と、第２の横フレーム４５と、第３の横フレーム５７とを有している。第１の横フレーム４３は、接合部３０近傍を横方向（接合部３０の延在方向と同じ方向）に延在し、第２の横フレーム４５は、コンソール部１１の縦方向中央付近において横方向に延在し、第３の横フレーム５７は、コンソール部１１の下部において横方向に延在する。第１及び第２の縦フレーム４１と、第１から第３までの横フレーム４３、４５、５７とは、その交差部近傍において固定（例えばネジ止め）されている。
【００２５】
図５において符号Ｘで示される第１及び第２の縦フレーム４１と、第１の横フレーム４３との交差部領域の近傍の構造を図６（Ａ）、（Ｂ）に示す。図６（Ａ），（Ｂ）に示すように、第１の横フレーム４３は、縦フレーム４１と交差する箇所において裏面側に持ち上がり、立体的に交差している。この交差部において、２本の縦フレーム４１のそれぞれと横フレーム４３とがネジ止めされている。上述のように湾曲部４１ｃの表示部１側に接続構造が設けられている。第２の横フレーム４５は、下キャビネット１２の鉛直方向の中央部付近において縦フレーム４１と下キャビネット１２の表面側で交差している。交差部において、２本の縦フレーム４１のそれぞれと第２の横フレーム４５とがネジ止めされている。
【００２６】
第３の横フレーム５７は、下キャビネット１２の鉛直方向の下部において、縦フレーム４１と下キャビネット１２の表面側で交差している。交差部において、２本の縦フレーム４１のそれぞれと第３の横フレーム５７とがネジ止めされている。例えば、表示部１の水平度を調整する場合に、予め隙間を設けておくことにより、この隙間により水平度の調整が簡単にできる。例えば、表示部１とコンソール部１１との端面同士をそのまま当接して縦フレーム４１により固定すると、製造上の公差などにより水平度を合わせにくい。これに対して、隙間の調整により水平度を合わせた後に、縦フレーム４１により表示部１とコンソール部１１とを固定すると、水平度の良い薄型表示装置を製造することができる。
【００２７】
図７は、２本の縦フレーム４１、４１と、第３の横フレーム５７と、回転機構２３との取り付け構造を示す図である。図８は回転機構の構成を示す簡単な図である。まず、図８を参照して、回転機構２３について簡単に説明する。回転機構２３は、固定部５０と、可動部５１とを有している。固定部５０は、スタンド２１（図１）に取り付けられている。固定部５０の上方に可動部５１が配置されている。固定部５０に設けられているモータＭにより、可動部５１に形成された軸受け部７３内に取り付けられる回転軸５４であって本体部Ｂと固定された回転軸５４を回転させる。符号７１はリブを示す。
【００２８】
図７に示すように、取り付け具５１により回転機構２３を本体部に取り付ける。取り付け具５１は、本体部の裏面側に本体部Ｂと略平行に形成された板状部材５２と、この板状部材５２の上端中央部において裏面側に立ち上がる立ち上がり部５９と、板状部材５２の下端の両側から本体部Ｂの裏側に立ち上がる取り付けアングル５２ａおよび５２ｂと、を備えている。立ち上がり部５９は、回転機構２３の回転軸５４を支持している。取り付けアングル５２ａおよび５２ｂは、固定部５０（図８）と固定されている。
【００２９】
立ち上がり部５９の両側の表面と第３の横フレーム５７の裏面側との間に、上面視Ｈ型の取り付け部材５５、５５が取り付けられている。この取り付け部材５５、５５により、本体部（フレーム）と回転機構２３とが固定されている。取り付け部材５５、５５と板状部材５２とに囲まれた領域であって、第３の横フレーム５７と取り付け部材５５、５５とにより形成される隅の領域に縦フレーム４１、４１が配置され、第３の横フレーム５７に固定されている。尚、符号４２で表されるピンは、回転機構２３を本体部に取り付ける際の位置決めするための位置決めピンである。
【００３０】
例えばリモートコントロール装置などにより液晶テレビＡを回転させるための操作を行うと、回転機構２３内のモータＭが駆動し、液晶テレビＡの表示画面を回転させることができる。この際、縦フレーム４１と第３横フレーム５７とが取り付け具５１を介して回転機構２３の近くで取り付けられているため、回転動作が安定する。尚、縦フレーム４１は、取り外しが可能である。また、２本の縦フレーム４１、４１の間に、電気配線を通すことができる。
【００３１】
以上、本実施の形態による液晶テレビによれば、表示部とコンソール部とを平面的に接合するタイプの液晶テレビにおけるフレーム強度を向上させることができる。さらに、フレーム構造の一部を押し出し加工により製造することで、製造コストを低減することができる。さらに、表示部１とコンソール部１１との間に隙間を設け、この隙間により水平度の調整を容易に行うことができるとともに、製造上の交差を吸収することもできる。
【００３２】
次に、本発明の一実施の形態の変形例による液晶テレビについて図９を参照して説明する。図９は、図５に対応する図であり、液晶テレビのフレーム構造を示す図である。図９に示すように、本発明の一実施の形態の変形例による液晶テレビは、図５に示す縦フレーム４１、４１に加えて、その両側にさらに１本づつの縦フレーム４１ａ、４１ａが設けられている。このように縦フレームを追加することで、液晶テレビのフレーム構造をより強固にすることができ、大型表示部に対応することができる。尚、縦フレームは１本でも良く、また、適宜幅を変更するいことで強度を高めることも可能である。さらに、任意の断面形状に押し出し加工することができ、また、押し出し加工と切り出し加工とを組み合わせることで、さらに様々な形状に加工することが可能である。
以上、本実施の形態に沿って説明したが、本発明はこれらの例に限定されるものではなく、種々の変形が可能であるのは言うまでもない。
【００３３】
【発明の効果】
本発明の薄型表示装置によれば、表示部とコンソール部とを平面的に接合するタイプの薄型表示装置におけるフレーム強度を向上させることができる。さらに、表示部１とコンソール部１１との間に隙間を設け、この隙間により水平度の調整を容易に行うことができるとともに、製造上の公差を吸収することもできる。加えて、フレーム構造の一部を押し出し加工により製造することで、製造コストを低減することができるという利点がある。
【図面の簡単な説明】
【図１】本発明の一実施の形態による液晶テレビの平面図である。
【図２】本発明の一実施の形態による液晶テレビの背面図である。
【図３】図３（Ａ）は、本発明の一実施の形態による液晶テレビの側断面図であり、図３（Ｂ）は、図３（Ａ）における縦フレームの側面図であり、図３（Ｃ）は、縦フレームの上面図である。
【図４】図３（Ａ）のうち表示部の構成を詳細に示す図である。
【図５】本発明の一実施の形態による液晶テレビのフレーム構造を示す背面図である。
【図６】図６（Ａ）、（Ｂ）は、図５のＸで示す部分の構造を示す斜視図である。
【図７】本発明の一実施の形態による液晶テレビのフレーム構造を示す上面図である。
【図８】本発明の一実施の形態による液晶テレビの回転機構の概略構造を示す側面図である。
【図９】本発明の一実施の形態の変形例による液晶テレビのフレーム構造を示す背面図である。
【図１０】従来の液晶テレビの構造を示す側断面図である。
【符号の説明】
Ａ…液晶テレビ、Ｂ…本体部、１…表示部、３…液晶パネル、５…バックフレーム、６…バックライトユニット、７…箱体（上キャビネット）、７ａ…前部上キャビネット、７ｂ…後部上キャビネット、１１…コンソール部、１２…下キャビネット、１５…アンプ部、１７…コントロール部、２１…スタンド、２３…回転機構、３０…接合部、４１…縦フレーム、４１ｃ…湾曲部。
【図１】
2004109400.tif 000003
【図２】
2004109400.tif 000004
【図３】
2004109400.tif 000005
【図４】
2004109400.tif 000006
【図５】
2004109400.tif 000007
【図６】
2004109400.tif 000008
【図７】
2004109400.tif 000009
【図８】
2004109400.tif 000010
【図９】
2004109400.tif 000011
【図１０】
2004109400.tif 000012